(57)【要約】【課題】引出導体の断線の無いフレキシブル基板の取付構造を提供すること。【解決手段】本発明のフレキシブル基板の取付構造において、フレキシブル基板１０には、誘発部１４と、この誘発部１４と回路基板５の一端５ａとの間に強化部１５が設けられたため、フレキシブル基板１０が曲げられた際、誘発部１４の曲がりに伴って、強化部１５が撓み代となって緩やかに曲がって、曲げ応力が分散し、回路基板５の一端５ａにフレキシブル基板１０の応力集中が発生せず、従って、引出導体１１の断線の無いものが得られる。【選択図】図３
2007201263.tif 000002
【特許請求の範囲】
【請求項１】
ランド部が設けられた回路基板と、前記ランド部に接続される引出導体を有する帯状のフレキシブル基板と、このフレキシブル基板が前記回路基板に重ね合わされた状態で、前記フレキシブル基板が前記回路基板の一端から突出して前記回路基板に取り付けられたものにおいて、
前記フレキシブル基板は、前記回路基板の前記一端から離れた前記一端近傍の位置に設けられ、周囲より曲げ強度の弱い曲げ誘発部と、この誘発部よりも曲げ強度が強く、前記誘発部に隣接して設けられた強化部を有し、この強化部が前記誘発部と前記一端との間に配置されたことを特徴とするフレキシブル基板の取付構造。
【請求項２】
前記誘発部は、前記フレキシブル基板の突出方向に対して直交する方向に設けられたことを特徴とする請求項１記載のフレキシブル基板の取付構造。
【請求項３】
前記フレキシブル基板には、前記引出導体を覆う絶縁膜が設けられ、前記誘発部が前記絶縁膜の除去部によって形成されたことを特徴とする請求項１、又は２記載のフレキシブル基板の取付構造。
【請求項４】
前記絶縁膜の前記除去部は、前記フレキシブル基板の突出方向に対して直交する方向の全幅にわたって設けられたことを特徴とする請求項３記載のフレキシブル基板の取付構造。
【請求項５】
前記誘発部は、前記引出導体上の前記絶縁膜を残した状態で、前記絶縁膜に設けられた前記除去部によって形成されたことを特徴とする請求項３記載のフレキシブル基板の取付構造。
【請求項６】
前記絶縁膜は、前記回路基板と前記フレキシブル基板との間に介在したことを特徴とする請求項３から５の何れか１項に記載のフレキシブル基板の取付構造。
【請求項７】
前記フレキシブル基板には、複数の孔が設けられ、前記誘発部が前記孔によって形成されたことを特徴とする請求項１から６の何れか１項に記載のフレキシブル基板の取付構造。
【請求項８】
前記回路基板には、カメラモジュール用の撮像素子が接続され、前記撮像素子からの信号が前記フレキシブル基板を介して導出されるようにしたことを特徴とする請求項１から７の何れか１項に記載のフレキシブル基板の取付構造。
【発明の詳細な説明】
【技術分野】
【０００１】
本発明は、携帯電話機等に使用されるカメラモジュールや種々の電子回路ユニット等に使用して好適なフレキシブル基板の取付構造に関するものである。
【背景技術】
【０００２】
図６は従来のフレキシブル基板の取付構造の要部断面図であり、次に、従来のフレキシブル基板の取付構造の構成を図６に基づいて説明すると、ガラス基板５１には、フィルター基板５２が取り付けられると共に、ガラス基板５１の上面に設けられた端子群には、異方性導電膜５３が接続されている。
【０００３】
帯状のフレキシブル基板５４は、下面側に設けられた引出導体５５と、この引出導体５５の端部の端子部５５ａを除く下面に設けられた第１の絶縁膜５６と、端子部５５ａと第１の絶縁膜５６の一部に対向した状態で、上面に設けられた第２の絶縁膜５７を有する。
【０００４】
そして、このフレキシブル基板５４は、端子部５５ａがガラス基板５１上の異方性導電膜５３に圧着されて、ガラス基板５１に取り付けられ、従来のフレキシブル基板の取付構造が構成されている（例えば、特許文献１参照）。
【０００５】
このような従来のフレキシブル基板の取付構造にあっては、ガラス基板５１の一端（側面）５１ａの近傍が曲げ強度の弱い曲げ誘発部５８となり、この誘発部５８に対して一端５１ａと反対側に、誘発部５８よりも曲げ強度の強い強化部５９が存在した状態となっている。
【０００６】
即ち、誘発部５８の位置には、第２の絶縁膜５７が存在し、強化部５９の位置では、第１，第２の絶縁膜５６，５７が存在しているため、フレキシブル基板５４が矢印Ａ方向に曲がると、ガラス基板５１の一端（側面）５１ａ側を支点として誘発部５８が容易に曲がり、このため、この誘発部５８に応力が集中した状態で曲がって、応力集中状態に位置する引出導体５５がガラス基板５１の一端５１ａにぶつかって断線する事態が生じる。
【特許文献１】特開２００３ー１３３６７７号公報
【発明の開示】
【発明が解決しようとする課題】
【０００７】
しかし、従来のフレキシブル基板の取付構造において、フレキシブル基板５４は、第２の絶縁膜５７の存在した誘発部５８がガラス基板５１の一端５１ａの近傍に位置し、第１，第２の絶縁膜５６，５７の存在した強化部５９がガラス基板５１の一端５１ａから離れた位置となっているため、フレキシブル基板５４が矢印Ａ方向に曲がると、誘発部５８が容易に曲がり、応力集中状態に位置する引出導体５５がガラス基板５１の一端５１ａにぶつかって断線する事態が生じるという問題がある。
【０００８】
本発明は、このような従来技術の実情に鑑みてなされたもので、その目的は、引出導体の断線の無いフレキシブル基板の取付構造を提供することにある。
【課題を解決するための手段】
【０００９】
上記の目的を達成するために、本発明は、ランド部が設けられた回路基板と、ランド部に接続される引出導体を有する帯状のフレキシブル基板と、このフレキシブル基板が回路基板に重ね合わされた状態で、フレキシブル基板が回路基板の一端から突出して回路基板に取り付けられたものにおいて、フレキシブル基板は、回路基板の一端から離れた一端近傍の位置に設けられ、周囲より曲げ強度の弱い曲げ誘発部と、この誘発部よりも曲げ強度が強く、誘発部に隣接して設けられた強化部を有し、この強化部が誘発部と一端との間に配置されたことを特徴としている。
【００１０】
このように構成した本発明は、フレキシブル基板が曲げられた際、曲げ誘発部の位置で曲がり、この誘発部の曲がりに伴って、誘発部と回路基板の一端との間に位置した強化部が撓み代となって緩やかに曲がって、曲げ応力が分散し、回路基板の一端にフレキシブル基板の応力集中が発生せず、従って、引出導体の断線の無いものが得られる。
【００１１】
また、本発明は、上記発明において、誘発部は、フレキシブル基板の突出方向に対して直交する方向に設けられたことを特徴としている。
【００１２】
このように構成した本発明は、フレキシブル基板と引出導体の曲がりの安定したものが得られる。
【００１３】
また、本発明は、上記発明において、フレキシブル基板には、引出導体を覆う絶縁膜が設けられ、誘発部が絶縁膜の除去部によって形成されたことを特徴としている。
【００１４】
このように構成した本発明は、絶縁膜を除去するだけで良く、その構成が簡単で、安価なものが得られる。
【００１５】
また、本発明は、上記発明において、絶縁膜の除去部は、フレキシブル基板の突出方向に対して直交する方向の全幅にわたって設けられたことを特徴としている。
【００１６】
このように構成した本発明は、除去部がフレキシブル基板の全幅に設けられたため、誘発部におけるフレキシブル基板の曲がりの容易なものが得られる。
【００１７】
また、本発明は、上記発明において、誘発部は、引出導体上の絶縁膜を残した状態で、絶縁膜に設けられた除去部によって形成されたことを特徴としている。
【００１８】
このように構成した本発明は、誘発部によって露出した引出導体を半田メッキによって保護する必要が無く、生産性が良く、安価なものが得られる。
【００１９】
また、本発明は、上記発明において、絶縁膜は、回路基板とフレキシブル基板との間に介在したことを特徴としている。
【００２０】
このように構成した本発明は、絶縁膜の介在によって引出導体が直接、回路基板の一端にぶつかることが無く、引出導体の切断の無いがものが得られる。
【００２１】
また、本発明は、上記発明において、フレキシブル基板には、複数の孔が設けられ、誘発部が孔によって形成されたことを特徴としている。
【００２２】
このように構成した本発明は、誘発部の形成が容易であると共に、誘発部におけるフレキシブル基板の曲がりの容易なものが得られる。
【００２３】
また、本発明は、上記発明において、回路基板には、カメラモジュール用の撮像素子が接続され、撮像素子からの信号がフレキシブル基板を介して導出されるようにしたことを特徴としている。
【００２４】
このように構成した本発明は、フレキシブル基板に繰り返しの曲げがかかるカメラモジュールに適用しても、引出導体の切断の無いがものが得られる。
【発明の効果】
【００２５】
本発明は、フレキシブル基板が曲げられた際、曲げ誘発部の位置で曲がり、この誘発部の曲がりに伴って、誘発部と回路基板の一端との間に位置した強化部が撓み代となって緩やかに曲がって、曲げ応力が分散し、回路基板の一端にフレキシブル基板の応力集中が発生せず、従って、引出導体の断線の無いものが得られる。
【発明を実施するための最良の形態】
【００２６】
発明の実施の形態について図面を参照して説明すると、図１は本発明のフレキシブル基板の取付構造の第１実施例に係る要部断面図、図２は本発明のフレキシブル基板の取付構造の第１実施例に係るフレキシブル基板の平面図、図３は本発明のフレキシブル基板の取付構造の第１実施例に係り、フレキシブル基板が曲げられた状態を示す説明図、図４は本発明のフレキシブル基板の取付構造の第２実施例に係るフレキシブル基板の平面図、図５は本発明のフレキシブル基板の取付構造の第２実施例に係るフレキシブル基板の平面図である。
【００２７】
次に、本発明のフレキシブル基板の取付構造の第１実施例に係る構成を、カメラモジュールに適用した場合を例にして図１〜図３に基づいて説明すると、例えば、移動可能な筒状の取付部材１には、レンズ２が取り付けられると共に、筒状の保持部材３内には、赤外線除去フィルタ（ＩＲカットフィルタ）４が取り付けられ、取付部材１と保持部材３が結合されている。
【００２８】
絶縁材からなる回路基板５の上、下面のそれぞれには、導電材からなる複数のランド部６が設けられ、上、下面に位置するこれ等のランド部６は、接続導体７によって接続されている。
【００２９】
撮像素子８は、複数の電極９を有し、この撮像素子８は、回路基板５上に載置された状態で、電極９が上面に位置するランド部６に半田等の導体によって接続されている。
【００３０】
そして、撮像素子８を取り付けた回路基板５は、撮像素子８が保持部材３内に位置した状態で、保持部材３の下部を塞ぐように保持部材３に取り付けられており、撮像素子８とレンズ２との間には、赤外線除去フィルタ４が配置された状態となっている。
【００３１】
帯状のフレキシブル基板１０は、長手方向に複数本が並列に配置された引出導体１１と、この引出導体１１を覆うように設けられたレジスト等の樹脂からなる絶縁膜１２を有する。
【００３２】
この絶縁膜１２は、引出導体１１の端部に設けられた端子部１１ａを露出すると共に、絶縁膜１２は、長手方向に対して直交する方向に、フレキシブル基板１０の全幅に跨って設けられた除去部１３を有している。
【００３３】
そして、この除去部１３を設けることによって、この除去部１３は、周囲より曲げ強度の弱い曲げ誘発部１４となり、また、この誘発部１４（除去部１３）に隣接した絶縁膜１２のある部分は、誘発部１４よりも曲げ強度が強い強化部１５となっている。
【００３４】
このような構成を有するフレキシブル基板１０は、絶縁膜１２側が回路基板５の下面に重ね合わされ、端子部１１ａが回路基板５の下面に位置したランド部６に半田等の導体によって接続されて、フレキシブル基板１０が回路基板５に取り付けられている。
【００３５】
このフレキシブル基板１０が取り付けられた際、フレキシブル基板１０は、回路基板５の一端５ａから突出すると共に、絶縁膜１２に設けられた除去部１３である誘発部１４は、回路基板５の一端５ａから離れた一端５ａ近傍に位置すると共に、誘発部１４と回路基板５の一端５ａとの間には、絶縁膜１２のある強化部１５が存在した状態となっている。
【００３６】
また、除去部１３によって露出した引出導体１１の箇所には、引出導体１１を覆う半田メッキが設けられて、引出導体１１の酸化等を防止して、本発明のフレキシブル基板の取付構造が形成されている。
【００３７】
このような本発明のフレキシブル基板の取付構造が適用された例えば、カメラモジュールは、携帯電話機やカメラ等に組み込まれて、フレキシブル基板１０が所定の箇所に引き回されると共に、引出導体１１がフォーカス回路等の電気回路に接続され、撮像素子８からの信号が引出導体１１を介して導出されるようになっている。
【００３８】
そして、カメラモジュールの搬送時や組込時、或いはフォーカス調整時等の際、フレキシブル基板１０には、曲げ力がかかるが、この曲げ力が図３に示す矢印Ｚ方向にかかった場合、先ず、フレキシブル基板１０は、曲げ誘発部１４の位置で曲がる。
【００３９】
そして、この誘発部１４の曲がりに伴って、誘発部１４と回路基板５の一端５ａとの間に位置した強化部１５が撓み代となって緩やかに曲がって、曲げ応力が分散し、回路基板５の一端５ａにフレキシブル基板１０の応力集中が発生せず、従って、引出導体１１の断線の無いものが得られる。
【００４０】
また、図４は本発明のフレキシブル基板の取付構造の第２実施例を示し、この第２実施例を説明すると、誘発部１４は、引出導体１１上の絶縁膜１２を残した状態で、絶縁膜１２に設けられた除去部１３によって形成されたものである。
【００４１】
即ち、誘発部１４である除去部１３が設けられると共に、この除去部１３の間には、引出導体１１を覆う絶縁膜１２が残された状態になったもので、その他の構成は、上記第１実施例と同様の構成を有し、同一部品に同一番号を付し、ここではその説明を省略する。
【００４２】
また、図５は本発明のフレキシブル基板の取付構造の第３実施例を示し、この第３実施例を説明すると、誘発部１４は、引出導体１１の位置を避けた状態で、フレキシブル基板１０に設けられた一列状態の複数の孔１６によって形成されたものである。
【００４３】
そして、この孔１６は、図５の第３実施例に示すように、フレキシブル基板１０と絶縁膜１２の双方に設けたもの、或いは、図２の第１実施例や図４の第２実施例において、孔１６が絶縁膜１２の除去部１３の位置に設けられたものでも良い。
【００４４】
その他の構成は、上記実施例と同様の構成を有し、同一部品に同一番号を付し、ここではその説明を省略する。
【図面の簡単な説明】
【００４５】
【図１】本発明のフレキシブル基板の取付構造の第１実施例に係る要部断面図である。
【図２】本発明のフレキシブル基板の取付構造の第１実施例に係るフレキシブル基板の平面図である。
【図３】本発明のフレキシブル基板の取付構造の第１実施例に係り、フレキシブル基板が曲げられた状態を示す説明図である。
【図４】本発明のフレキシブル基板の取付構造の第２実施例に係るフレキシブル基板の平面図である。
【図５】本発明のフレキシブル基板の取付構造の第２実施例に係るフレキシブル基板の平面図である。
【図６】従来のフレキシブル基板の取付構造の要部断面図である。
【符号の説明】
【００４６】
１  取付部材
２  レンズ
３  保持部材
４  赤外線除去フィルタ
５  回路基板
５ａ  一端
６  ランド部
７  接続導体
８  撮像素子
９  電極
１０  フレキシブル基板
１１  引出導体
１１ａ  端子部
１２  絶縁膜
１３  除去部
１４  誘発部
１５  強化部
１６  孔
【図１】
2007201263.tif 000003
【図２】
2007201263.tif 000004
【図３】
2007201263.tif 000005
【図４】
2007201263.tif 000006
【図５】
2007201263.tif 000007
【図６】
2007201263.tif 000008